(57)【要約】【課題】  建築物の建築工事完了前に外壁体の低目の高さ位置に取付可能とした空気調和機用室外機の壁面置台及びこれを用いた空気調和機用室外機の据付方法を提供すること。【解決手段】  空気調和機を載置する一対のベースフレーム２と、各ベースフレーム２の壁面側に取り付けられた縦フレーム３と、この縦フレーム３の下方部と建築物の外壁体４との距離を調節するアジャスター部６と、一対の縦フレーム３の上端部に結合されるとともに、建築物の外壁体４に固定される固定片部３２が設けられた横フレーム５とを有する。また、固定片部３２における外壁体４との接触面と、縦フレーム３の壁面側部分との間に、建築物の外壁体４における基礎部５１の上方に位置する水切部５２との干渉を回避する回避スペースを形成する。【選択図】      図３
2006308243.tif 000002
【特許請求の範囲】
【請求項１】
空気調和機用室外機を載置する一対のベースフレームと、
各ベースフレームの壁面側に取り付けられた縦フレームと、
この縦フレームの下方部と建築物の外壁体との距離を調節するアジャスター部と、
一対の縦フレームの上端部に結合されるとともに、建築物の外壁体に固定される固定片部が設けられた横フレームとを有し、
この固定片部における外壁体との接触面と縦フレームの壁面側部分との間には、建築物の外壁体における基礎部の上方に位置する水切部との干渉を回避する回避スペースが形成されている
ことを特徴とする空気調和機用室外機の壁面置台。
【請求項２】
前記縦フレームは、壁面側部分に、外壁体から離れる形状に形成された後退部が形成され、この後退部により前記回避スペースが形成されている
ことを特徴とする請求項１記載の空気調和機用室外機の壁面置台。
【請求項３】
前記アジャスター部の座部は、弾性部材により形成されていることを特徴とする請求項１又は２記載の空気調和機用室外機の壁面置台。
【請求項４】
空気調和機を載置する一対のベースフレームと、
各ベースフレームの壁面側に取り付けられた縦フレームと、
この縦フレームの下方部と建築物の外壁体との距離を調節するアジャスター部と、
一対の縦フレームの上端部に結合されるとともに、建築物の外壁体に固定される固定片部が設けられた横フレームとを有し、
横フレームは、第１スペーサを介して縦フレームに結合され、
また、アジャスター部の座部の外壁体側には第２スペーサが係合され、
前記固定片部における外壁体との接触面と縦フレームの壁面側部分との間には、建築物の外壁体における基礎部の上方に位置する水切部との干渉を回避する回避スペースが形成されている
ことを特徴とする空気調和機用室外機の壁面置台。
【請求項５】
前記アジャスター部の座部及び第２スペーサは、弾性部材により形成されていることを特徴とする請求項４記載の空気調和機用室外機の壁面置台。
【請求項６】
前記縦フレームは、横フレームに対し一定範囲内で長手方向にスライド式に位置変更自在となるように構成されていることを特徴とする請求項１〜５の何れか1項に記載の空気調和機用室外機の壁面置台。
【請求項７】
請求項１〜６の何れか１項に記載の空気調和機用室外機の壁面置台を用意し、
横フレームを建築物における水切部上方の外壁体に固定するとともに、前記アジャスター部の座部を前記水切部下方の基礎部に押し当てるように空気調和機用室外機の壁面置台を外壁体に取り付け、
その後、前記ベースフレーム上に空気調和機用室外機を取り付ける
ことを特徴とする空気調和機用室外機の据付方法。
【請求項８】
請求項１〜６の何れか1項に記載の空気調和機用室外機の壁面置台を用意し、
横フレームを建築物の外壁体における突出部の上方部に固定するとともに、前記アジャスター部の座部を建築物の外壁体における突出部の下方部に押し当てるように空気調和機用室外機の壁面置台を外壁体に取り付け、
その後、前記ベースフレーム上に空気調和機用室外機を取り付ける
ことを特徴とする空気調和機用室外機の据付方法。
【発明の詳細な説明】
【技術分野】
【０００１】
本発明は、空気調和機用室外機の壁面置台及びこれを用いた空気調和機用室外機の据付方法に関し、特に、建築工事完了前に建築物の外壁体に、例えば低い位置に取付可能としたものに関する。
【背景技術】
【０００２】
空気調和機用室外機を木造建築物等の建築物の外壁体に沿って取り付ける置台としては平置台、壁面置台ブラケットタイプ、壁面置台などがある。これら置台としては例えば非特許文献１に記載したものが知られている。また、これら置台を使用して木造建築物の外壁体に沿って設置する場合、特に、空気調和機用室外機の位置を低く据え付けたい場合、図１３〜図１５に示すように取り付けられる。
【０００３】
図１３は、平置台を使用した空気調和機用室外機の据付方法を示したものである。この据付方法の場合は、同図に示すように、平置台１０１を木造建築物の外壁体１０２の近傍の地面１０３に設置し、この平置台１０１上に空気調和機用室外機１００を載置している。また、基礎部１０５の上部には水切部１０６が突出しているが、平置台１０１が水切部１０６より低位置にあり、さらに空気調和機用室外機１００の背面と外壁体１０２との間に隙間が設けられていることにより、空気調和機用室外機１００が水切部１０６に干渉しないように据え付けられている。次に、図１４は、壁面置台ブラケットタイプを使用した空気調和機用室外機の据付方法を示したものである。この据付方法の場合は、同図に示すように、木造建築物における鉄筋コンクリート造りの基礎部１０５にアンカーボルト１０８（図ではボルトの中心線のみを示す）を打ち込んで、このアンカーボルト１０８により壁面置台ブラケットタイプ１０９を取り付け、この壁面置台ブラケットタイプ１０９上に空気調和機用室外機１００を取り付けるようにしている。また、この場合には、壁面置台ブラケットタイプ１０９が水切部１０６の下方部に位置し、さらに空気調和機用室外機１００の背面と外壁体１０２との間に隙間が設けられていることにより、空気調和機用室外機１００が水切部１０６に干渉しないように据え付けられている。次に、図１５は、壁面置台を使用した空気調和機用室外機の据付方法を示したものである。この据付方法の場合は、同図に示すように、水切部１０６上部の外壁体１０２に対し壁面置台１１０を取り付け、この壁面置台１１０上に空気調和機用室外機１００を取り付けるようにしている。したがって、この場合は、壁面置台１１０を含む空気調和機用室外機１００の設置部分全体が水切部１０６の上方に位置するため、空気調和機用室外機１００が水切部１０６に干渉することがない。なお、この壁面置台１１０の従来例としては特許文献１に記載のものも知られている。
【特許文献１】特開平２００１−１８２９７０号公報
【非特許文献１】事業者用カタログ「オーケースカイ  スカイキーパー２００５」、オーケー器材株式会社、２００４年１２月、ｐ１４、ｐ３１、ｐ３９
【発明の開示】
【発明が解決しようとする課題】
【０００４】
本発明は、一般住宅等の新築木造建築物において工事費を削減するために、電気工事業者の工事日を集中させたいという要望があり、この要望を満たすためには内装完了前の建築工事中に空気調和機用の据付工事が必要になることに着目したものである。ところが、上記した据付例の場合には次のような問題点がある。
【０００５】
すなわち、図１３の例の場合には、建築工事及び外構工事が終了した後であれば何ら問題なしに空気調和機用室外機の据付工事を行うことができるが、新築建築物の完成前には未だ外構工事が未着手の状態であるため、載置台を設置することができない状態にある。したがって、建築工事中には適用することができない。また、図１４の場合は、図１３の場合と異なり建築工事完了前に行うことができる。しかしながら、この場合には、鉄筋コンクリート造りの基礎部にアンカーボルトを打ち込む工事が必要があり、次のような問題がある。すなわち、ａ．基礎部の強度が低下する恐れがある、ｂ．施工は認定された資格保有者である特殊技能者により行わなければならない、ｃ．コンクリートに穴を開けるために、工事騒音が大きくなり近隣に迷惑をかける、などの問題がある。したがって、この据付方法も一般工事に適用しうる取付例ではない。また、図１５の場合は、外壁体自体は建築工事の早い段階で完了しているので、建築工事中における一般の電気工事に合わせて空気調和機の据付工事を行うことは可能である。ところが、このような据付の場合には、空気調和機用室外機の設置位置が地面から高くなり、建築物の外観上好ましくない、また、上方にあると日常生活において邪魔にもなり易いという問題があった。
【０００６】
本発明は、上記課題に鑑みなされたものであり、建築物の建築工事完了前に外壁体の低目の高さ位置に取付可能とした空気調和機用室外機の壁面置台及びこれを用いた空気調和機用室外機の据付方法を提供することを目的とする。
【課題を解決するための手段】
【０００７】
上記課題を解決する第１の解決手段に係る空気調和機用室外機の壁面置台は、空気調和機用室外機を載置する一対のベースフレームと、各ベースフレームの壁面側に取り付けられた縦フレームと、この縦フレームの下方部と建築物の外壁体との距離を調節するアジャスター部と、一対の縦フレームの上端部に結合されるとともに、建築物の外壁体に固定される固定片部が設けられた横フレームとを有し、この固定片部における外壁体との接触面と縦フレームの壁面側部分との間には、建築物の外壁体における基礎部の上方に位置する水切部との干渉を回避する回避スペースが形成されていることを特徴とする。
【０００８】
このように構成された空気調和機用室外機の壁面置台は、横フレームの固定片部における外壁体との接触面と縦フレームの壁面側部分との間に、建築物の外壁体における基礎部の上方に位置する水切部との干渉を回避する回避スペースが形成されているので、水切部との干渉を避けながら壁面置台を水切部の上下に跨って据え付けることができる。また、外壁体への取付は、縦フレームの上端部に取り付けられた横フレームの固定片部により行い、縦フレームの下方部に設けられたアジャスター部は水切部下方の基礎部に押し当てるだけでよいので、基礎部にアンカーボルトを打ち込む必要もない。また、アジャスター部は、縦フレームの下端部と建築物の外壁体との距離を調節できるように構成されているので、基礎部の外表面と基礎部上方の外壁体の外表面との間に形成される段差をこの調節機能により吸収することができる。本発明の壁面置台は、以上のように取り付けることができるので、建築工事中の建築物に対し外壁体の低位置において空気調和機の据付を行うことができる。また、建築工事中にこの据付工事を一般電気工事と同時に行うことができる。
【０００９】
また、上記空気調和機用室外機の壁面置台において、前記縦フレームは、壁面側部分に、外壁体から離れる形状に形成された後退部が形成され、この後退部により前記回避スペースが形成されているようにしてもよい。このように構成する場合は、縦フレームの強度低下を防止するために、チャネル材の肉厚を大きくしたり、正面から見た幅方向を大きくしたりする必要もあるが、縦フレームに後退部を設けるという簡単な構成で、建築物における基礎部上方の水切部との干渉を回避することができる。
【００１０】
また、前記アジャスター部の座部は、弾性部材により形成することもできる。このようにすると、座部の振動吸収作用により空気調和機用室外機の振動が建築物に伝播され難くなり、室内における空気調和機運転音を低減することができる。
【００１１】
また、上記課題を解決する第２の解決手段に係る空気調和機用室外機の壁面置台は、空気調和機を載置する一対のベースフレームと、各ベースフレームの壁面側に取り付けられた縦フレームと、この縦フレームの下方部と建築物の外壁体との距離を調節するアジャスター部と、一対の縦フレームの上端部に結合されるとともに、建築物の外壁体に固定される固定片部が設けられた横フレームとを有し、横フレームは、第１スペーサを介して縦フレームに結合され、また、アジャスター部の座部の外壁体側には第２スペーサが係合され、前記固定片部における外壁体との接触面と縦フレームの壁面側部分との間には、建築物の外壁体における基礎部の上方に位置する水切部との干渉を回避する回避スペースが形成されていることを特徴とする。
【００１２】
このように構成すると、前述の第１の解決手段と同様の効果を奏することができる。また、特許文献１や非特許文献１で従来公知の空気調和機用室外機の壁面置台において第１スペーサ及び第２スペーサを用いることにより、本発明の空気調和機用室外機の壁面置台を構成することもできる。
【００１３】
また、前記アジャスター部の座部及び第２スペーサを、弾性部材により形成することもできる。このようにすると、アジャスター部の座部及び第２スペーサの振動吸収作用により空気調和機用室外機の振動が建築物により一層伝播され難くなり、室内における空気調和機運転音をより一層低減することができる。
【００１４】
また、第１及び第２の解決手段に係る空気調和機用室外機の壁面置台において、前記縦フレームは、横フレームに対し一定範囲内で長手方向にスライド式に位置変更自在となるように構成されているものとしてもよい。このように構成すると、空気調和機用室外機の仕様によりベースフレームの位置を調節することができ、汎用性を増すことができる。
【００１５】
また、上記課題を解決する空気調和機用室外機の据付方法は、上記空気調和機用室外機の壁面置台を用意し、横フレームを建築物における水切部上方の外壁体に固定するとともに、前記アジャスター部の座部を前記水切部下方の基礎部に押し当てるように空気調和機用室外機の壁面置台を外壁体に取り付け、その後、前記ベースフレーム上に空気調和機用室外機を取り付けることを特徴とする。このようにすると、建築工事中の建築物の低位置である水切部において、容易に空気調和機の取付作業を行うことができる。なお、アジャスター部の座部は、前記第１解決手段に係る解決手段の壁面置台を使用する場合は直接基礎部に押し当てられるが、前記第２解決手段に係る壁面置台を使用する場合は、第２スペーサを介して基礎部に押し当てられる。
【００１６】
また、上記課題を解決する他の空気調和機用室外機の据付方法は、前述の空気調和機用室外機の壁面置台を用意し、横フレームを建築物の外壁体における突出部の上方部に固定するとともに、前記座部を建築物の外壁体における突出部の下方部に当接させるように空気調和機用室外機の壁面置台を外壁体に取り付け、その後、前記ベースフレーム上に空気調和機用室外機を取り付けることを特徴とする。このようにすると、上記水切部に取り付ける壁面置台と同一の壁面置台を用いて外壁体における突起物に跨るような状態で空気調和機用室外機を取り付けることができる。なお、アジャスター部の座部は、前記第１解決手段に係る解決手段の壁面置台を使用する場合は直接外壁体に押し当てられるが、前記第２解決手段に係る壁面置台を使用する場合は、第２スペーサを介して外壁体に押し当てられる。
【発明の効果】
【００１７】
本発明に係る空気調和機用室外機の壁面置台及び空気調和機用室外機の据付方法によれば、建築工事中の建築物に対し、低位置である水切部において空気調和機用室外機を容易に取り付けることができる。また、この壁面置台を用いれば、外壁体における他の突起物を跨ぐ状態で空気調和機用室外機を取り付けることもできる。
【発明を実施するための最良の形態】
【００１８】
以下、本発明を具体化した実施の形態に係る空気調和機用室外機の壁面置台を図面に基づいて説明する。
（実施の形態１）
まず、実施の形態１に係る空気調和機用室外機の壁面置台を図面に基づいて説明する。図１は、実施の形態１に係る空気調和機用室外機の壁面置台の斜視図である。図２は、同空気調和機用室外機の壁面置台の側面図である。図３は、同空気調和機用室外機の壁面置台の側面から見た据付状態図である。図４は、同空気調和機用室外機の壁面置台における縦フレームと横フレームとの結合部の断面図である。図５は、同空気調和機用室外機の壁面置台の縦フレーム下端部に設けられたアジャスター部の断面図である。図６は、同空気調和機用室外機の壁面置台における縦フレームと横フレームとの結合部の正面図である。
【００１９】
本実施の形態に係る空気調和機用室外機の壁面置台は、図１〜図３に示すように、空気調和機用室外機１を載置する一対のベースフレーム２と、各ベースフレーム２の壁面側に取り付けられた一対の縦フレーム３と、一対の縦フレーム３の上端部に結合された横フレーム５と、各縦フレーム３の下方部と建築物の外壁体４との距離を調節するアジャスター部６とを備えている。
【００２０】
ベースフレーム２は、チャネル状金属性部材からなりその両側壁端部の上側に形成された軸支部１１と、同側壁の下側に形成されたストッパ−兼係止部１２とを有する。また、ベースフレーム２は、図１及び図２に矢印Ｘ−Ｙで示すように、軸支部１１を中心として回転させて、ベースフレーム２を縦フレーム３に略平行に折り畳むことができる。そして、このベースフレーム２は、梱包時には、図２の２点鎖線Ａ−Ａのように縦フレーム３に略平行に折り畳まれ、据付時には、図３に図示するように、縦フレーム３に対し略直角に前方に開いて用いられる。このときストッパー兼係止部１２が縦フレーム３に当接及び係合される（詳細構造は図示せず）。軸支部１１は、１本のボルト１３により軸が形成されており、このボルト１３を増し締めすることにより、ベースフレーム２を縦フレーム３に対し固定することができる。
【００２１】
また、各ベースフレーム２は、上面に長孔１４が前後２個所に設けられ、この長孔１４には、それぞれボルト、ナット等からなる固定部材１５がスライド式に移動できるように保持されている。なお、固定部材１５の記載は、図１における前方側の長孔１４において、さらに、図２において省略されている。そして、空気調和機用室外機１は、空気調和機用室外機１の取付板（図示せず）をこの固定部材１５を用いて固定することにより、ベースフレーム２上に取り付けられる。なお、固定部材１５は、空気調和機用室外機１の取付板に設けられたボルト孔（図示せず）の位置に合わせるように長孔１４内で移動される。
【００２２】
縦フレーム３は、断面形状は異なるが、ベースフレーム２と同様にチャネル状の金属性部材からなる。また、縦フレーム３は、ベースフレーム２と横フレーム５の結合部との中間高さ位置における壁面側の部分に後退部２１が形成されている。後退部２１は、図示されているように、チャネルを構成する縦フレーム３の両側壁を切り欠いた細長の略台形状の切欠により形成されている。本発明では、この切欠を、外壁体から離れる形状に形成された後退部２１と称する。この後退部２１は、木造建築物の水切部５２を跨ぐ程度の長さが有ればよく、縦フレーム３の壁面側部分の少なくとも一部分に形成されていればよい。また、後退部２１は、横フレーム５の固定片部３２（後記参照）における外壁体との接触面と縦フレーム３の壁面側部分との間には、建築物の外壁体４における基礎部５１の上方に位置する水切部５２との干渉を回避する回避スペースが形成される深さであればよい。また、縦フレーム３の上端部には、チャネル状を成す横フレーム５を前面側から挟み込むように被せる切欠部２２が形成されている。この切欠部２２の部分は横フレーム５との結合部を形成する。この結合部においては、図１〜図４に示すように、縦フレーム３の前面側の壁部に楕円状に後方へ陥没する凹部２３が形成され、この凹部２３内の上方部において横フレーム５をボルト２４とナット２５とにより結合するためのボルト孔２６（図４参照）が形成されている。
【００２３】
横フレーム５は、一対の縦フレーム３の上端部において、両縦フレーム３に対し水平方向に架設されるものであって、図４の断面図から分かるように、下方にチャネル状の基部３１が形成され、この基部３１の上側端部から上方へ所定幅延びる板状の固定片部３２とを備えている。基部３１には、図１に示すように、縦フレーム３と結合するためのボルト孔３３が２箇所に形成されている。このボルト孔３３は、横フレーム５の長手方向（水平方向）に長い長孔に形成されている。また、このボルト孔３３の中央側端部は孔径が大きく形成されている。この孔径の大なる部分３４は、縦フレーム３と横フレーム５とをボルト２４とナット２５とで結合するときに、ボルト２４に仮止めされた状態のナット２５を前方からチャネル状の基部３１内に挿入するためのものである。固定片部３２は、本実施の形態に係る壁面置台を外壁体４に取り付ける際に外壁体４に当接するように配置されて、コーチボルトなどの固定部材３５により外壁体４に固定される部分となる。したがって、この固定片部３２には、図１に示すように、固定部材３５を貫通させるための孔部３６が形成されている。この孔部３６は、横方向に長い長孔であって、３個所に設けられている。
【００２４】
アジャスター部６は、図５に示すように、縦フレーム３の前面側の壁部の下端部における背面に溶接されたネジ座４１と、このネジ座４１に対し螺合されるネジ棒４２と、ネジ棒４２の壁面側端部に一体的に形成された円盤状の座部４３とから構成されている。円盤状の座部４３は、ゴムなどの弾性部材により構成されている。アジャスター部６は、ネジ棒４２を回転させることにより、座部４３を図５に図示する前後方向Ｐ−Ｑに位置調節することができる。したがって、アジャスター部６は、座部４３の位置を調節することにより、本実施の形態に係る壁面置台が据付状態になったときに、縦フレーム３の下方部と建築物の外壁体４との距離を調節することができる。
【００２５】
空気調和機用室外機１は、以上のように構成された空気調和機用室外機の壁面置台を使用して、次のようにして、外壁体４の基礎部５１の水切部５２を跨ぐように据え付けられる。
【００２６】
本実施の形態の空気調和機用室外機の壁面置台は、梱包状態では、図２の２点鎖線のようにベースフレーム２が折り畳まれているので、空気調和機用室外機１の据付に当っては、先ずベースフレーム２を図１のように縦フレーム３の前方に開く。次に、図３に示すように、この状態の壁面置台を、後退部２１が水切部５２の位置となるように固定片部３２を水切部５２の上方の外壁体４に押し当てる。固定片部３２は、コーチボルトなどの固定部材３５により、孔部３６を介してサイディングボードなどの外装部材５３を貫通させて、内部にある縦柱５４に対し固定される。このとき、固定片部３２の孔部３６が長孔に形成されているので、縦柱５４の位置で固定片部３２を固定することができる。その後、アジャスター部６の座部４３のＰ−Ｇ方向の位置を調節することにより、ベースフレーム２が水平状態で据え付けられるように縦フレーム３と外壁体４との距離を調節して、座部４３を外壁体４の基礎部５１に押し当てる。これにより、壁面置台が水切部５２を跨ぐように外壁体４に固定される。空気調和機用室外機１は、壁面置台をこの状態に取り付けた後に、固定部材１５によりベースフレーム２上に固定される。
【００２７】
本実施の形態は、以上のように構成されているので、次のような効果を奏することができる。
（１）  本発明の壁面置台は、建築物の基礎部の水切部より上方の外壁体４に固定されるので、建築工事中の建築物に対し外壁体４の低位置において空気調和機の据付を行うことができる。また、建築工事中にこの据付工事を一般電気工事と同時に行うことができる。
【００２８】
（２）  固定片部３２における外壁体４との接触面と縦フレーム３の壁面側部分との間には、建築物の外壁体４における基礎部５１の上方に位置する水切部５２との干渉を回避する回避スペースが形成されるので、水切部５２との干渉を避けながら壁面置台を水切部５２の上下に跨って据え付けることができる。
【００２９】
（３）  本実施の形態の壁面置台の取付は、縦フレーム３の上端部に取り付けられた横フレーム５の固定片部３２により行い、縦フレーム３の下方部に設けられたアジャスター部６は水切部５２下方の基礎部５１に押し当てればよいので、基礎部５１にアンカーボルトを打ち込む必要がなく、据付工事が簡略化される。
【００３０】
（４）  アジャスター部６は、縦フレーム３の下端部と建築物の外壁体４との距離を調節できるように構成されているので、基礎部５１の外表面と基礎部上方の外壁体４の外表面との間に形成される段差を、この調節機能により吸収することができる。
【００３１】
（５）  縦フレーム３に後退部２１を設けるという簡単な構成で、建築物における基礎部５１の水切部５２との干渉を回避することができる。
（６）  縦フレーム３は、横フレーム５に対し一定範囲内で長手方向にスライド式に位置変更自在となるように構成されているので、空気調和機用室外機１の仕様によりベースフレーム２の位置を調節することができ、汎用性を増すことができる。
【００３２】
（７）  アジャスター部６の座部４３は、弾性部材により形成されているので、座部４３の振動吸収作用により空気調和機用室外機１の振動が建築物に伝播され難くなり、室内における空気調和機運転音を低減することができる。
【００３３】
（８）  本実施の形態に係る据付方法によれば、外壁体４は、早い段階でできあがっているので、外構の完成を待つことなく建築物の建築中において一般電気工事と同時に空気調和機の据付工事を行うことができる。
【００３４】
（実施の形態２）
実施の形態２は、実施の形態１と異なる方法により、固定片部３２における外壁体４との接触面と縦フレーム３の壁面側部分との間に、建築物の外壁体４における基礎部５１の上方に位置する水切部５２との干渉を回避する回避スペースを設けるようにしたものである。以下実施の形態２を図７〜図１１に基づき説明する。なお、図７は実施の形態２に係る空気調和機用室外機の壁面置台の斜視図であり、図８は同空気調和機用室外機の壁面置台における縦フレームと横フレームとの結合部の断面図であり、図９は同空気調和機用室外機の壁面置台の縦フレーム下端部に設けられたアジャスター部周りの断面図であり、図１０は同空気調和機用室外機の壁面置台における縦フレームと横フレームとの結合部の正面図であり、図１１は同空気調和機用室外機の壁面置台における第１スペーサの斜視図である。なお、実施の形態１に係る空気調和機用室外機の壁面置台と同一又は同等の構成要素には同一の符号を付し、その説明を省略する。
【００３５】
この実施の形態２においては、縦フレーム３は、実施の形態１のような後退部２１が形成されていない。すなわち、実施の形態２の壁面置台は、特許文献１及び非特許文献１に記載のものと同一のものとすることもできる。また、後退部２１を設けない点を除き実施の形態１のものと同一にすることもできる。また、実施の形態２における縦フレーム３は、実施の形態１のものと比較して、後退部２１を廃止した分強度が向上するので、チャネル状の縦フレーム３の肉厚を薄くすることもできる。
【００３６】
また、実施の形態２は、固定片部３２における外壁体４との接触面と縦フレーム３の壁面側部分との間に水切部５２との干渉を回避する回避スペースを確保するために、図７から図１０に示されるように、縦フレーム３と横フレーム５との間には、第１スペーサ６１が取り付けられている。また、アジャスター部６の座部４３の外壁体側にゴム等の弾性部材からなる厚手円盤状の第２スペーサ６２が係合されている。したがって、アジャスター部６の座部４３は、この第２スペーサ６２を介して基礎部５１に押し当てられる。また、第１スペーサ６１は、図１１に示すように、中央部６３で縦フレーム３に接触し、左右側部６４で横フレーム５に接するように段状に形成された金属製のものである。そして、第１スペーサ６１の中央部６３の背面には、縦フレーム３に対しボルト６５により結合するためのネジ孔６６を備えたネジ座６７が溶接されている。また、左右側部６４には、第１スペーサ６１をボルト２４により固定するためのボルト孔６８が形成されている。
【００３７】
実施の形態２は、上記のように構成されているので、実施の形態１と同様の作用効果を奏することができる。また、特許文献１や非特許文献１で従来公知の空気調和機用室外機の壁面置台において第１スペーサ６１及び第２スペーサ６２を用いることにより、この実施の形態２と同様の壁面置台を構成することもできる。また、アジャスター部６の座部４３及び第２スペーサ６２が弾性部材により形成されているので、座部４３及び第２スペーサ６２の振動吸収作用により空気調和機用室外機１の振動が建築物により一層伝播され難くなり、室内における空気調和機運転音をより一層低減することができる。
【００３８】
（実施の形態３）
実施の形態３は、実施の形態１の空気調和機用室外機の壁面台を用いて外壁体４の外表面に突出しているデザイン状の突出部７１が存在する部分に、空気調和機用室外機１を取り付けるようにした取付方法に関するものである。これを図１２を用いながら説明する。この取付方法は、実施の形態１の場合に準じて行われる。すなわち、後退部２１が突出部７１の位置となるように固定片部３２を突出部７１の上方の外装部材５３の表面に押し当てる。固定片部３２を、コーチボルトなどの固定部材３５によりサイディングボードなどの外装部材５３を介して内側に位置する縦柱５４に対し固定する。その後、アジャスター部６の座部４３の外壁体側への突出位置を調整し、座部４３を外壁体４の外装部材５３に押し当てる。このような取付方法によれば、固定片部３２における外壁体４との接触面と縦フレーム３の壁面側部分との間に、基礎部５１の水切部５２との干渉を回避し得る寸法差の範囲内で、建築物の外壁体４における突出部７１との干渉を回避する回避スペースが形成されるので、各種の突出部７１に跨って空気調和機用室外機１を取り付けることができる。
【００３９】
なお、上記においては突出部７１は、デザイン状のものであったが、その他各種突出部に対しても対応させてもよい。その他突出部としては、例えば、１階用外壁体パネルと２階用外壁体パネルとの継ぎ目処理のための突出部のようなものであってもよい。また、実施の形態３においては、実施の形態１の壁面置台を使用する場合について示したが、実施の形態２の壁面置台を同様に使用することもできる。この場合には、アジャスター部６の座部４３に第２スペーサ６２が係合されているので、座部４３は第２スペーサ６２を介して外装部材５３に押し当てられる。
【産業上の利用可能性】
【００４０】
本発明に係る空気調和機用壁面置台及びこれを用いた空気調和機用室外機の据付方法は、木造建築物以外の鉄筋コンクリート造り等の各種の建築物に適用することができる。また、外壁体４における突出物も水切部５２以外の突出部７１の部分にも取り付けることができる。
【図面の簡単な説明】
【００４１】
【図１】実施の形態１に係る空気調和機用室外機の壁面置台の斜視図である。
【図２】同空気調和機用室外機の壁面置台の側面図である。
【図３】同空気調和機用室外機の壁面置台の側面から見た据付状態図である。
【図４】同空気調和機用室外機の壁面置台における縦フレームと横フレームとの結合部の断面図である。
【図５】同空気調和機用室外機の壁面置台の縦フレーム下端部に設けられたアジャスター部の断面図である。
【図６】同空気調和機用室外機の壁面置台における縦フレームと横フレームとの結合部の正面図である。
【図７】実施の形態２に係る空気調和機用室外機の壁面置台の側面から見た据付状態図である。
【図８】同同空気調和機用室外機の壁面置台における縦フレームと横フレームとの結合部の断面図である。
【図９】同空気調和機用室外機の壁面置台の縦フレーム下端部に設けられたアジャスター部の断面図である。
【図１０】同空気調和機用室外機の壁面置台における縦フレームと横フレームとの結合部の正面図である。
【図１１】同空気調和機用室外機の壁面置台の第１スペーサの斜視図である。
【図１２】実施の形態３に係る空気調和機用室外機の壁面置台の側面から見た据付状態図である。
【図１３】平置台を使用した空気調和機用室外機の従来の据付状態図である．
【図１４】壁面置台ブラケットタイプを使用した空気調和機用室外機の従来の据付状態図である。
【図１５】壁面置台を使用した空気調和機用室外機の従来の据付態図である。
【符号の説明】
【００４２】
１    空気調和機用室外機
２    ベースフレーム
３    縦フレーム
４    外壁体
５    横フレーム
６    アジャスター部
２１    後退部
３２    固定片部
４３    座部
５１    基礎部
５２    水切部
６１    第１スペーサ
６２    第２スペーサ
７１    突出部
【図１】
2006308243.tif 000003
【図２】
2006308243.tif 000004
【図３】
2006308243.tif 000005
【図４】
2006308243.tif 000006
【図５】
2006308243.tif 000007
【図６】
2006308243.tif 000008
【図７】
2006308243.tif 000009
【図８】
2006308243.tif 000010
【図９】
2006308243.tif 000011
【図１０】
2006308243.tif 000012
【図１１】
2006308243.tif 000013
【図１２】
2006308243.tif 000014
【図１３】
2006308243.tif 000015
【図１４】
2006308243.tif 000016
【図１５】
2006308243.tif 000017